【手続補正書】
【提出日】平成19年5月16日(2007.5.16)
【手続補正１】
【補正対象書類名】明細書
【補正対象項目名】特許請求の範囲
【補正方法】変更
【補正の内容】
【特許請求の範囲】
【請求項１】  印刷されたシートに加工処理を行う加工手段によって前記加工処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する後処理制御手段と、
を有することを特徴とする画像形成システム。
【請求項２】  印刷されたシートに加工処理を行う加工手段によって前記加工処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する後処理制御手段と、
を有し、
前記印刷制御手段は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記後処理制御手段は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする画像形成システム。
【請求項３】  印刷されたシートに加工処理を行う加工手段によって前記加工処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する後処理制御手段と、
を有し、
前記印刷制御手段は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記後処理制御手段は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする画像形成システム。
【請求項４】  印刷されたシートに加工処理を行う加工手段によって前記加工処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する後処理制御手段と、
を有し、
前記印刷制御手段は、
前記印刷設定がユーザによりなされた原稿の画像データが記憶手段に記憶された後に、
前記１枚のシートの同一面上に複数の画像データを配置する印刷処理を前記印刷手段により実行させ、
前記後処理制御手段は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする画像形成システム。
【請求項５】  印刷されたシートに加工処理を行う加工手段によって前記加工処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有することを特徴とする画像形成システム。
【請求項６】 印刷されたシートに加工処理を行う加工手段によって前記加工処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記後処理制御手段は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする画像形成システム。
【請求項７】 印刷されたシートに加工処理を行う加工手段によって前記加工処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記後処理制御手段は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする画像形成システム。
【請求項８】 印刷されたシートに加工処理を行う加工手段によって前記加工処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷設定がユーザによりなされた原稿の画像データが記憶手段に記憶された後に、
前記１枚のシートの同一面上に複数の画像データを配置する印刷処理を前記印刷手段により実行させ、
前記後処理制御手段は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする画像形成システム。
【請求項９】 印刷されたシートにステイプル処理を行うステイプル手段によって前記ステイプル処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する後処理制御手段と、
を有することを特徴とする画像形成システム。
【請求項１０】 印刷されたシートにステイプル処理を行うステイプル手段によって前記ステイプル処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する後処理制御手段と、
を有し、
前記印刷制御手段は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記後処理制御手段は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする画像形成システム。
【請求項１１】  印刷されたシートにステイプル処理を行うステイプル手段によって前記ステイプル処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する後処理制御手段と、
を有し、
前記印刷制御手段は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記後処理制御手段は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする画像形成システム。
【請求項１２】  印刷されたシートにステイプル処理を行うステイプル手段によって前記ステイプル処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する後処理制御手段と、
を有し、
前記印刷制御手段は、
前記印刷設定がユーザによりなされた原稿の画像データが記憶手段に記憶された後に、
前記１枚のシートの同一面上に複数の画像データを配置する印刷処理を前記印刷手段により実行させ、
前記後処理制御手段は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする画像形成システム。
【請求項１３】  印刷されたシートにステイプル処理を行うステイプル手段によって前記ステイプル処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有することを特徴とする画像形成システム。
【請求項１４】  印刷されたシートにステイプル処理を行うステイプル手段によって前記ステイプル処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記後処理制御手段は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする画像形成システム。
【請求項１５】 印刷されたシートにステイプル処理を行うステイプル手段によって前記ステイプル処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記後処理制御手段は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする画像形成システム。
【請求項１６】 印刷されたシートにステイプル処理を行うステイプル手段によって前記ステイプル処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷設定がユーザによりなされた原稿の画像データが記憶手段に記憶された後に、
前記１枚のシートの同一面上に複数の画像データを配置する印刷処理を前記印刷手段により実行させ、
前記後処理制御手段は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする画像形成システム。
【請求項１７】 印刷されたシートに穿孔処理を行う穿孔手段によって前記穿孔処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する後処理制御手段と、
を有することを特徴とする画像形成システム。
【請求項１８】 印刷されたシートに穿孔処理を行う穿孔手段によって前記穿孔処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する後処理制御手段と、
を有し、
前記印刷制御手段は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記後処理制御手段は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする画像形成システム。
【請求項１９】 印刷されたシートに穿孔処理を行う穿孔手段によって前記穿孔処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する後処理制御手段と、
を有し、
前記印刷制御手段は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記後処理制御手段は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする画像形成システム。
【請求項２０】 印刷されたシートに穿孔処理を行う穿孔手段によって前記穿孔処理が行われるシートに対して印刷処理を印刷手段により実行させる画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する後処理制御手段と、
を有し、
前記印刷制御手段は、
前記印刷設定がユーザによりなされた原稿の画像データが記憶手段に記憶された後に、
前記１枚のシートの同一面上に複数の画像データを配置する印刷処理を前記印刷手段により実行させ、
前記後処理制御手段は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする画像形成システム。
【請求項２１】  印刷されたシートに穿孔処理を行う穿孔手段によって前記穿孔処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有することを特徴とする画像形成システム。
【請求項２２】  印刷されたシートに穿孔処理を行う穿孔手段によって前記穿孔処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記後処理制御手段は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする画像形成システム。
【請求項２３】  印刷されたシートに穿孔処理を行う穿孔手段によって前記穿孔処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記後処理制御手段は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする画像形成システム。
【請求項２４】  印刷されたシートに穿孔処理を行う穿孔手段によって前記穿孔処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷設定がユーザによりなされた原稿の画像データが記憶手段に記憶された後に、
前記１枚のシートの同一面上に複数の画像データを配置する印刷処理を前記印刷手段により実行させ、
前記後処理制御手段は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする画像形成システム。
【請求項２５】  印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する後処理制御手段と、
を有することを特徴とする画像形成システム。
【請求項２６】  印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する後処理制御手段と、
を有し、
前記印刷制御手段は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記後処理制御手段は、
前記１枚のシートの同一面上に複数の画像データを配置する印刷処理が行われるシートの種類が前記判断手段によって判断される前に、
前記印刷設定が前記操作手段を介してユーザによりなされたことを条件に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする画像形成システム。
【請求項２７】  印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する後処理制御手段と、
を有し、
前記印刷制御手段は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記後処理制御手段は、
前記印刷設定がユーザによりなされた原稿の画像データの原稿サイズが前記検知手段によって検知される前に、
前記印刷設定が前記操作手段を介してユーザによりなされたことを条件に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする画像形成システム。
【請求項２８】  印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する後処理制御手段と、
を有し、
前記印刷制御手段は、
前記印刷設定がユーザによりなされた原稿の画像データが記憶手段に記憶された後に、
前記１枚のシートの同一面上に複数の画像データを配置する印刷処理を前記印刷手段により実行させ、
前記後処理制御手段は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする画像形成システム。
【請求項２９】  印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有することを特徴とする画像形成システム。
【請求項３０】 印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記後処理制御手段は、
前記１枚のシートの同一面上に複数の画像データを配置する印刷処理が行われるシートの種類が前記判断手段によって判断される前に、
前記印刷設定が前記操作手段を介してユーザによりなされたことを条件に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする画像形成システム。
【請求項３１】 印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記後処理制御手段は、
前記印刷設定がユーザによりなされた原稿の画像データの原稿サイズが前記検知手段によって検知される前に、
前記印刷設定が前記操作手段を介してユーザによりなされたことを条件に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする画像形成システム。
【請求項３２】 印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させ、
印刷されたシートの仕分け処理を行う仕分け手段によって前記仕分け処理が行われるシートに対して前記印刷手段により印刷処理を実行させる、
画像形成システムであって、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させる印刷制御手段と、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、
を有し、
前記印刷制御手段は、
前記印刷設定がユーザによりなされた原稿の画像データが記憶手段に記憶された後に、
前記１枚のシートの同一面上に複数の画像データを配置する印刷処理を前記印刷手段により実行させ、
前記後処理制御手段は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする画像形成システム。
【請求項３３】 請求項１乃至８の何れか１項に記載の画像形成システムであって、
前記後処理制御手段は、
前記加工処理を実行させる設定をユーザにより行わせないように前記操作手段におけるユーザの設定を制限することで、前記加工処理の実行を禁止することを特徴とする画像形成システム。
【請求項３４】 請求項９乃至１６および請求項２５乃至３２の何れか１項に記載の画像形成システムであって、
前記後処理制御手段は、
前記ステイプル処理を実行させる設定をユーザにより行わせないように前記操作手段におけるユーザの設定を制限することで、前記ステイプル処理の実行を禁止することを特徴とする画像形成システム。
【請求項３５】 請求項１７乃至２４および請求項２５乃至３２の何れか１項に記載の画像形成システムであって、
前記後処理制御手段は、
前記穿孔処理を実行させる設定をユーザにより行わせないように前記操作手段におけるユーザの設定を制限することで、前記穿孔処理の実行を禁止することを特徴とする画像形成システム。
【請求項３６】 請求項１乃至３５の何れか１項に記載の画像形成システムであって、
前記印刷手段は、
原稿読取手段によって読取処理が行われる原稿の画像データの印刷処理を実行でき、ホストコンピュータからの画像データの印刷処理を実行できる印刷手段であることを特徴とする画像形成システム。
【請求項３７】 印刷されたシートに加工処理を行う加工手段によって前記加工処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する、ことを特徴とする制御方法。
【請求項３８】 印刷されたシートに加工処理を行う加工手段によって前記加工処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止し、
前記制御方法は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記制御方法は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする制御方法。
【請求項３９】 印刷されたシートに加工処理を行う加工手段によって前記加工処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止し、
前記制御方法は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記制御方法は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする制御方法。
【請求項４０】 印刷されたシートに加工処理を行う加工手段によって前記加工処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止し、
前記制御方法は、
前記印刷設定がユーザによりなされた原稿の画像データが記憶手段に記憶された後に、
前記１枚のシートの同一面上に複数の画像データを配置する印刷処理を前記印刷手段により実行させ、
前記制御方法は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする制御方法。
【請求項４１】 印刷されたシートに加工処理を行う加工手段によって前記加工処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可する、
ことを特徴とする制御方法。
【請求項４２】 印刷されたシートに加工処理を行う加工手段によって前記加工処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記制御方法は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする制御方法。
【請求項４３】 印刷されたシートに加工処理を行う加工手段によって前記加工処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記制御方法は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする制御方法。
【請求項４４】 印刷されたシートに加工処理を行う加工手段によって前記加工処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷設定がユーザによりなされた原稿の画像データが記憶手段に記憶された後に、
前記１枚のシートの同一面上に複数の画像データを配置する印刷処理を前記印刷手段により実行させ、
前記制御方法は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする制御方法。
【請求項４５】 印刷されたシートにステイプル処理を行うステイプル手段によって前記ステイプル処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する、ことを特徴とする制御方法。
【請求項４６】 印刷されたシートにステイプル処理を行うステイプル手段によって前記ステイプル処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、
前記制御方法は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記制御方法は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする制御方法。
【請求項４７】 印刷されたシートにステイプル処理を行うステイプル手段によって前記ステイプル処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、
前記制御方法は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記制御方法は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする制御方法。
【請求項４８】 印刷されたシートにステイプル処理を行うステイプル手段によって前記ステイプル処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、
前記制御方法は、
前記印刷設定がユーザによりなされた原稿の画像データが記憶手段に記憶された後に、
前記１枚のシートの同一面上に複数の画像データを配置する印刷処理を前記印刷手段により実行させ、
前記制御方法は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする制御方法。
【請求項４９】 印刷されたシートにステイプル処理を行うステイプル手段によって前記ステイプル処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可する、ことを特徴とする制御方法。
【請求項５０】 印刷されたシートにステイプル処理を行うステイプル手段によって前記ステイプル処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記制御方法は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする制御方法。
【請求項５１】 印刷されたシートにステイプル処理を行うステイプル手段によって前記ステイプル処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷設定が前記操作手段を介してユーザによりなされた場合に、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記制御方法は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする制御方法。
【請求項５２】 印刷されたシートにステイプル処理を行うステイプル手段によって前記ステイプル処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷設定がユーザによりなされた原稿の画像データが記憶手段に記憶された後に、
前記１枚のシートの同一面上に複数の画像データを配置する印刷処理を前記印刷手段により実行させ、
前記制御方法は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする制御方法。
【請求項５３】 印刷されたシートに穿孔処理を行う穿孔手段によって前記穿孔処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する、ことを特徴とする制御方法。
【請求項５４】 印刷されたシートに穿孔処理を行う穿孔手段によって前記穿孔処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止し、
前記制御方法は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記制御方法は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする制御方法。
【請求項５５】 印刷されたシートに穿孔処理を行う穿孔手段によって前記穿孔処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止し、
前記制御方法は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記制御方法は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする制御方法。
【請求項５６】 印刷されたシートに穿孔処理を行う穿孔手段によって前記穿孔処理が行われるシートに対して印刷処理を印刷手段により実行させる画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止し、
前記制御方法は、
前記印刷設定がユーザによりなされた原稿の画像データが記憶手段に記憶された後に、
前記１枚のシートの同一面上に複数の画像データを配置する印刷処理を前記印刷手段により実行させ、
前記制御方法は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする制御方法。
【請求項５７】 印刷されたシートに穿孔処理を行う穿孔手段によって前記穿孔処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する、ことを特徴とする制御方法。
【請求項５８】 印刷されたシートに穿孔処理を行う穿孔手段によって前記穿孔処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記制御方法は、
前記１枚のシートの同一面上に複数の画像データを配置する印刷処理が行われるシートの種類が前記判断手段によって判断される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする制御方法。
【請求項５９】 印刷されたシートに穿孔処理を行う穿孔手段によって前記穿孔処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記制御方法は、
前記印刷設定がユーザによりなされた原稿の画像データの原稿サイズが前記検知手段によって検知される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする制御方法。
【請求項６０】 印刷されたシートに穿孔処理を行う穿孔手段によって前記穿孔処理が行われるシートに対して印刷処理を印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷設定がユーザによりなされた原稿の画像データが記憶手段に記憶された後に、
前記１枚のシートの同一面上に複数の画像データを配置する印刷処理を前記印刷手段により実行させ、
前記制御方法は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする制御方法。
【請求項６１】 印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する、ことを特徴とする制御方法。
【請求項６２】 印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止し、
前記制御方法は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記制御方法は、
前記１枚のシートの同一面上に複数の画像データを配置する印刷処理が行われるシートの種類が前記判断手段によって判断される前に、
前記印刷設定が前記操作手段を介してユーザによりなされたことを条件に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする制御方法。
【請求項６３】 印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止し、
前記制御方法は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記制御方法は、
前記印刷設定がユーザによりなされた原稿の画像データの原稿サイズが前記検知手段によって検知される前に、
前記印刷設定が前記操作手段を介してユーザによりなされたことを条件に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする制御方法。
【請求項６４】 印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止し、
前記制御方法は、
前記印刷設定がユーザによりなされた原稿の画像データが記憶手段に記憶された後に、
前記１枚のシートの同一面上に複数の画像データを配置する印刷処理を前記印刷手段により実行させ、
前記制御方法は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする制御方法。
【請求項６５】 印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する、ことを特徴とする制御方法。
【請求項６６】 印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷手段による印刷処理に利用されるシートの種類を判断する判断手段によって、前記１枚のシートの同一面上に複数の画像データを配置する印刷処理が行われるシートの種類が判断された後に、
前記１枚のシートの同一面上に複数の画像データを配置する印刷処理を前記印刷手段により実行させ、
前記制御方法は、
前記１枚のシートの同一面上に複数の画像データを配置する印刷処理が行われるシートの種類が前記判断手段によって判断される前に、
前記印刷設定が前記操作手段を介してユーザによりなされたことを条件に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする制御方法。
【請求項６７】 印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷手段により印刷処理が行われる原稿の画像データの原稿サイズを検知する検知手段によって、前記印刷設定がユーザによりなされた原稿の画像データの原稿サイズが検知された後に、
前記１枚のシートの同一面上に複数の画像データを配置する印刷処理を前記印刷手段により実行させ、
前記制御方法は、
前記印刷設定がユーザによりなされた原稿の画像データの原稿サイズが前記検知手段によって検知される前に、
前記印刷設定が前記操作手段を介してユーザによりなされたことを条件に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする制御方法。
【請求項６８】 印刷されたシートにステイプル処理を行うステイプル手段によって前記ステイプル処理が行われるシートに対して印刷処理を印刷手段により実行させ、
印刷されたシートに穿孔処理を行う穿孔手段によって前記穿孔処理が行われるシートに対して印刷処理を前記印刷手段により実行させ、
印刷されたシートの仕分け処理を行う仕分け手段によって前記仕分け処理が行われるシートに対して前記印刷手段により印刷処理を実行させる、
画像形成システムの制御方法であって、
前記制御方法は、
１枚のシートの同一面上に複数の画像データを配置する印刷処理を前記印刷手段により実行させるための印刷設定が、操作手段を介してユーザによりなされた場合に、
前記１枚のシートの同一面上に複数の画像データを配置する印刷処理を前記印刷手段により実行させ、
前記制御方法は、
前記印刷設定が前記操作手段を介してユーザによりなされた場合に、
前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、
前記制御方法は、
前記印刷設定がユーザによりなされた原稿の画像データが記憶手段に記憶された後に、
前記１枚のシートの同一面上に複数の画像データを配置する印刷処理を前記印刷手段により実行させ、
前記制御方法は、
前記印刷設定がユーザによりなされた原稿の画像データが前記記憶手段に記憶される前に、
前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする制御方法。
【請求項６９】 請求項３７乃至６８の何れか１項に記載の制御方法をコンピュータに実行させるためのプログラムを記憶したことを特徴とするコンピュータ読取可能な記憶媒体。
【手続補正２】
【補正対象書類名】明細書
【補正対象項目名】０００４
【補正方法】変更
【補正の内容】
【０００４】
本発明の目的は、１枚のシートの同一面上に複数の画像データを配置する印刷処理を実行することができ、尚且つ、１枚のシートの同一面上に複数の画像データを配置する印刷処理を実行する場合に、ユーザの誤操作に対処し、ユーザの意図しない出力物を作成してしまうことを抑え、ユーザの所望とする出力結果を作成することができる画像形成システム、及び画像形成システムの制御方法、並びに記憶媒体を提供することにある。
【手続補正３】
【補正対象書類名】明細書
【補正対象項目名】０００５
【補正方法】変更
【補正の内容】
【０００５】
【課題を解決するための手段】
上記目的を達成するために、請求項１記載の画像形成システムは、印刷されたシートに加工処理を行う加工手段によって前記加工処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する後処理制御手段と、を有することを特徴とする。
上記目的を達成するために、請求項２記載の画像形成システムは、印刷されたシートに加工処理を行う加工手段によって前記加工処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する後処理制御手段と、を有し、前記印刷制御手段は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記後処理制御手段は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項３記載の画像形成システムは、印刷されたシートに加工処理を行う加工手段によって前記加工処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する後処理制御手段と、を有し、前記印刷制御手段は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記後処理制御手段は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項４記載の画像形成システムは、印刷されたシートに加工処理を行う加工手段によって前記加工処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する後処理制御手段と、を有し、前記印刷制御手段は、前記印刷設定がユーザによりなされた原稿の画像データが記憶手段に記憶された後に、前記１枚のシートの同一面上に複数の画像データを配置する印刷処理を前記印刷手段により実行させ、前記後処理制御手段は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項５記載の画像形成システムは、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有することを特徴とする。
上記目的を達成するために、請求項６記載の画像形成システムは、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記後処理制御手段は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項７記載の画像形成システムは、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記後処理制御手段は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項８記載の画像形成システムは、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷設定がユーザによりなされた原稿の画像データが記憶手段に記憶された後に、前記１枚のシートの同一面上に複数の画像データを配置する印刷処理を前記印刷手段により実行させ、前記後処理制御手段は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項９記載の画像形成システムは、印刷されたシートにステイプル処理を行うステイプル手段によって前記ステイプル処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する後処理制御手段と、を有することを特徴とする。
上記目的を達成するために、請求項１０記載の画像形成システムは、印刷されたシートにステイプル処理を行うステイプル手段によって前記ステイプル処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する後処理制御手段と、を有し、前記印刷制御手段は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記後処理制御手段は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項１１記載の画像形成システムは、印刷されたシートにステイプル処理を行うステイプル手段によって前記ステイプル処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する後処理制御手段と、を有し、前記印刷制御手段は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記後処理制御手段は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項１２記載の画像形成システムは、印刷されたシートにステイプル処理を行うステイプル手段によって前記ステイプル処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する後処理制御手段と、を有し、前記印刷制御手段は、前記印刷設定がユーザによりなされた原稿の画像データが記憶手段に記憶された後に、前記１枚のシートの同一面上に複数の画像データを配置する印刷処理を前記印刷手段により実行させ、前記後処理制御手段は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項１３記載の画像形成システムは、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有することを特徴とする。
上記目的を達成するために、請求項１４記載の画像形成システムは、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記後処理制御手段は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項１５記載の画像形成システムは、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記後処理制御手段は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項１６記載の画像形成システムは、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷設定がユーザによりなされた原稿の画像データが記憶手段に記憶された後に、前記１枚のシートの同一面上に複数の画像データを配置する印刷処理を前記印刷手段により実行させ、前記後処理制御手段は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項１７記載の画像形成システムは、印刷されたシートに穿孔処理を行う穿孔手段によって前記穿孔処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する後処理制御手段と、を有することを特徴とする。
上記目的を達成するために、請求項１８記載の画像形成システムは、印刷されたシートに穿孔処理を行う穿孔手段によって前記穿孔処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する後処理制御手段と、を有し、前記印刷制御手段は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記後処理制御手段は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項１９記載の画像形成システムは、印刷されたシートに穿孔処理を行う穿孔手段によって前記穿孔処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する後処理制御手段と、を有し、前記印刷制御手段は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記後処理制御手段は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項２０記載の画像形成システムは、印刷されたシートに穿孔処理を行う穿孔手段によって前記穿孔処理が行われるシートに対して印刷処理を印刷手段により実行させる画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する後処理制御手段と、を有し、前記印刷制御手段は、前記印刷設定がユーザによりなされた原稿の画像データが記憶手段に記憶された後に、前記１枚のシートの同一面上に複数の画像データを配置する印刷処理を前記印刷手段により実行させ、前記後処理制御手段は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項２１記載の画像形成システムは、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有することを特徴とする。
上記目的を達成するために、請求項２２記載の画像形成システムは、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記後処理制御手段は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項２３記載の画像形成システムは、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記後処理制御手段は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項２４記載の画像形成システムは、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷設定がユーザによりなされた原稿の画像データが記憶手段に記憶された後に、前記１枚のシートの同一面上に複数の画像データを配置する印刷処理を前記印刷手段により実行させ、前記後処理制御手段は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項２５記載の画像形成システムは、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する後処理制御手段と、を有することを特徴とする。
上記目的を達成するために、請求項２６記載の画像形成システムは、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する後処理制御手段と、を有し、前記印刷制御手段は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記後処理制御手段は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項２７記載の画像形成システムは、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する後処理制御手段と、を有し、前記印刷制御手段は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記後処理制御手段は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項２８記載の画像形成システムは、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する後処理制御手段と、を有し、前記印刷制御手段は、前記印刷設定がユーザによりなされた原稿の画像データが記憶手段に記憶された後に、前記１枚のシートの同一面上に複数の画像データを配置する印刷処理を前記印刷手段により実行させ、前記後処理制御手段は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項２９記載の画像形成システムは、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有することを特徴とする。
上記目的を達成するために、請求項３０記載の画像形成システムは、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記後処理制御手段は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項３１記載の画像形成システムは、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記後処理制御手段は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項３２記載の画像形成システムは、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムであって、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させる印刷制御手段と、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する後処理制御手段と、を有し、前記印刷制御手段は、前記印刷設定がユーザによりなされた原稿の画像データが記憶手段に記憶された後に、前記１枚のシートの同一面上に複数の画像データを配置する印刷処理を前記印刷手段により実行させ、前記後処理制御手段は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項３３記載の画像形成システムは、請求項１乃至８の何れか１項に記載の画像形成システムであって、前記後処理制御手段は、前記加工処理を実行させる設定をユーザにより行わせないように前記操作手段におけるユーザの設定を制限することで、前記加工処理の実行を禁止することを特徴とする。
上記目的を達成するために、請求項３４記載の画像形成システムは、請求項９乃至１６および請求項２５乃至３２の何れか１項に記載の画像形成システムであって、前記後処理制御手段は、前記ステイプル処理を実行させる設定をユーザにより行わせないように前記操作手段におけるユーザの設定を制限することで、前記ステイプル処理の実行を禁止することを特徴とする。
上記目的を達成するために、請求項３５記載の画像形成システムは、請求項１７乃至２４および請求項２５乃至３２の何れか１項に記載の画像形成システムであって、前記後処理制御手段は、前記穿孔処理を実行させる設定をユーザにより行わせないように前記操作手段におけるユーザの設定を制限することで、前記穿孔処理の実行を禁止することを特徴とする。
上記目的を達成するために、請求項３６記載の画像形成システムは、請求項１乃至３５の何れか１項に記載の画像形成システムであって、前記印刷手段は、原稿読取手段によって読取処理が行われる原稿の画像データの印刷処理を実行でき、ホストコンピュータからの画像データの印刷処理を実行できる印刷手段であることを特徴とする。
上記目的を達成するために、請求項３７記載の画像形成システムの制御方法は、印刷されたシートに加工処理を行う加工手段によって前記加工処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する、ことを特徴とする。
上記目的を達成するために、請求項３８記載の画像形成システムの制御方法は、印刷されたシートに加工処理を行う加工手段によって前記加工処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止し、前記制御方法は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記制御方法は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項３９記載の画像形成システムの制御方法は、印刷されたシートに加工処理を行う加工手段によって前記加工処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止し、前記制御方法は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記制御方法は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項４０記載の画像形成システムの制御方法は、印刷されたシートに加工処理を行う加工手段によって前記加工処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止し、前記制御方法は、前記印刷設定がユーザによりなされた原稿の画像データが記憶手段に記憶された後に、前記１枚のシートの同一面上に複数の画像データを配置する印刷処理を前記印刷手段により実行させ、前記制御方法は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項４１記載の画像形成システムの制御方法は、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可する、ことを特徴とする。
上記目的を達成するために、請求項４２記載の画像形成システムの制御方法は、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記制御方法は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項４３記載の画像形成システムの制御方法は、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記制御方法は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項４４記載の画像形成システムの制御方法は、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷設定がユーザによりなされた原稿の画像データが記憶手段に記憶された後に、前記１枚のシートの同一面上に複数の画像データを配置する印刷処理を前記印刷手段により実行させ、前記制御方法は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止することを特徴とする。
上記目的を達成するために、請求項４５記載の画像形成システムの制御方法は、印刷されたシートにステイプル処理を行うステイプル手段によって前記ステイプル処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する、ことを特徴とする。
上記目的を達成するために、請求項４６記載の画像形成システムの制御方法は、印刷されたシートにステイプル処理を行うステイプル手段によって前記ステイプル処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、前記制御方法は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記制御方法は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項４７記載の画像形成システムの制御方法は、印刷されたシートにステイプル処理を行うステイプル手段によって前記ステイプル処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、前記制御方法は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記制御方法は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項４８記載の画像形成システムの制御方法は、印刷されたシートにステイプル処理を行うステイプル手段によって前記ステイプル処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、前記制御方法は、前記印刷設定がユーザによりなされた原稿の画像データが記憶手段に記憶された後に、前記１枚のシートの同一面上に複数の画像データを配置する印刷処理を前記印刷手段により実行させ、前記制御方法は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項４９記載の画像形成システムの制御方法は、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可する、ことを特徴とする。
上記目的を達成するために、請求項５０記載の画像形成システムの制御方法は、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記制御方法は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項５１記載の画像形成システムの制御方法は、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷設定が前記操作手段を介してユーザによりなされた場合に、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記制御方法は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項５２記載の画像形成システムの制御方法は、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷設定がユーザによりなされた原稿の画像データが記憶手段に記憶された後に、前記１枚のシートの同一面上に複数の画像データを配置する印刷処理を前記印刷手段により実行させ、前記制御方法は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止することを特徴とする。
上記目的を達成するために、請求項５３記載の画像形成システムの制御方法は、印刷されたシートに穿孔処理を行う穿孔手段によって前記穿孔処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する、ことを特徴とする。
上記目的を達成するために、請求項５４記載の画像形成システムの制御方法は、印刷されたシートに穿孔処理を行う穿孔手段によって前記穿孔処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止し、前記制御方法は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記制御方法は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項５５記載の画像形成システムの制御方法は、印刷されたシートに穿孔処理を行う穿孔手段によって前記穿孔処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止し、前記制御方法は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記制御方法は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項５６記載の画像形成システムの制御方法は、印刷されたシートに穿孔処理を行う穿孔手段によって前記穿孔処理が行われるシートに対して印刷処理を印刷手段により実行させる画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止し、前記制御方法は、前記印刷設定がユーザによりなされた原稿の画像データが記憶手段に記憶された後に、前記１枚のシートの同一面上に複数の画像データを配置する印刷処理を前記印刷手段により実行させ、前記制御方法は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項５７記載の画像形成システムの制御方法は、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する、ことを特徴とする。
上記目的を達成するために、請求項５８記載の画像形成システムの制御方法は、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記制御方法は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項５９記載の画像形成システムの制御方法は、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記制御方法は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項６０記載の画像形成システムの制御方法は、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷設定がユーザによりなされた原稿の画像データが記憶手段に記憶された後に、前記１枚のシートの同一面上に複数の画像データを配置する印刷処理を前記印刷手段により実行させ、前記制御方法は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止することを特徴とする。
上記目的を達成するために、請求項６１記載の画像形成システムの制御方法は、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する、ことを特徴とする。
上記目的を達成するために、請求項６２記載の画像形成システムの制御方法は、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止し、前記制御方法は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記制御方法は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項６３記載の画像形成システムの制御方法は、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止し、前記制御方法は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記制御方法は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項６４記載の画像形成システムの制御方法は、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止し、前記制御方法は、前記印刷設定がユーザによりなされた原稿の画像データが記憶手段に記憶された後に、前記１枚のシートの同一面上に複数の画像データを配置する印刷処理を前記印刷手段により実行させ、前記制御方法は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項６５記載の画像形成システムの制御方法は、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する、ことを特徴とする。
上記目的を達成するために、請求項６６記載の画像形成システムの制御方法は、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記制御方法は、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項６７記載の画像形成システムの制御方法は、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記制御方法は、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項６８記載の画像形成システムの制御方法は、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムの制御方法であって、前記制御方法は、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記制御方法は、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記制御方法は、前記印刷設定がユーザによりなされた原稿の画像データが記憶手段に記憶された後に、前記１枚のシートの同一面上に複数の画像データを配置する印刷処理を前記印刷手段により実行させ、前記制御方法は、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止することを特徴とする。
上記目的を達成するために、請求項６９記載のコンピュータ読取可能な記憶媒体は、請求項３７乃至６８の何れか１項に記載の制御方法をコンピュータに実行させるためのプログラムを記憶したことを特徴とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００９１
【補正方法】変更
【補正の内容】
【００９１】
【発明の効果】
以上詳述に説明したように、請求項１記載の本発明よれば、印刷されたシートに加工処理を行う加工手段によって前記加工処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する、画像形成システムを提供できる。また、請求項２記載の本発明よれば、印刷されたシートに加工処理を行う加工手段によって前記加工処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止し、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止する、画像形成システムを提供できる。また、請求項３記載の本発明によれば、印刷されたシートに加工処理を行う加工手段によって前記加工処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止し、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止する、画像形成システムを提供できる。また、請求項４記載の本発明によれば、印刷されたシートに加工処理を行う加工手段によって前記加工処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止し、前記印刷設定がユーザによりなされた原稿の画像データが記憶手段に記憶された後に、前記１枚のシートの同一面上に複数の画像データを配置する印刷処理を前記印刷手段により実行させ、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止する、画像形成システムを提供できる。また、請求項５記載の本発明によれば、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可する、画像形成システムを提供できる。また、請求項６記載の本発明によれば、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可し、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止する、画像形成システムを提供できる。また、請求項７記載の本発明によれば、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可し、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止する、画像形成システムを提供できる。また、請求項８記載の本発明によれば、印刷されたシートに加工処理を行う加工手段によって前記加工処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記加工手段によって前記加工処理を実行することを禁止する一方で、前記１枚のシートの同一面上に複数の画像データを配置する印刷処理が行われるシートに対して前記仕分け手段によって前記仕分け処理を実行することは許可し、前記印刷設定がユーザによりなされた原稿の画像データが記憶手段に記憶された後に、前記１枚のシートの同一面上に複数の画像データを配置する印刷処理を前記印刷手段により実行させ、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記加工手段によって前記加工処理を実行することを禁止する、画像形成システムを提供できる。
【手続補正３３】
【補正対象書類名】明細書
【補正対象項目名】００９２
【補正方法】変更
【補正の内容】
【００９２】
また、請求項９記載の本発明によれば、印刷されたシートにステイプル処理を行うステイプル手段によって前記ステイプル処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する、画像形成システムを提供できる。また、請求項１０記載の本発明によれば、印刷されたシートにステイプル処理を行うステイプル手段によって前記ステイプル処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止する、画像形成システムを提供できる。また、請求項１１記載の本発明によれば、印刷されたシートにステイプル処理を行うステイプル手段によって前記ステイプル処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止する、画像形成システムを提供できる。また、請求項１２記載の本発明によれば、印刷されたシートにステイプル処理を行うステイプル手段によって前記ステイプル処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、前記印刷設定がユーザによりなされた原稿の画像データが記憶手段に記憶された後に、前記１枚のシートの同一面上に複数の画像データを配置する印刷処理を前記印刷手段により実行させ、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止する、画像形成システムを提供できる。また、請求項１３記載の本発明によれば、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可する、画像形成システムを提供できる。また、請求項１４記載の本発明によれば、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可し、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止する、画像形成システムを提供できる。また、請求項１５記載の本発明によれば、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可し、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止する、画像形成システムを提供できる。また、請求項１６記載の本発明によれば、印刷されたシートにステイプル処理を行うステイプル手段によって前記ステイプル処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止する一方で、前記１枚のシートの同一面上に複数の画像データを配置する印刷処理が行われるシートに対して前記仕分け手段によって前記仕分け処理を実行することは許可し、前記印刷設定がユーザによりなされた原稿の画像データが記憶手段に記憶された後に、前記１枚のシートの同一面上に複数の画像データを配置する印刷処理を前記印刷手段により実行させ、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止する、画像形成システムを提供できる。
【手続補正３４】
【補正対象書類名】明細書
【補正対象項目名】００９３
【補正方法】変更
【補正の内容】
【００９３】
また、請求項１７記載の本発明によれば、印刷されたシートに穿孔処理を行う穿孔手段によって前記穿孔処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する、画像形成システムを提供できる。また、請求項１８記載の本発明によれば、印刷されたシートに穿孔処理を行う穿孔手段によって前記穿孔処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止し、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止する、画像形成システムを提供できる。また、請求項１９記載の本発明によれば、印刷されたシートに穿孔処理を行う穿孔手段によって前記穿孔処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止し、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止する、画像形成システムを提供できる。また、請求項２０記載の本発明によれば、印刷されたシートに穿孔処理を行う穿孔手段によって前記穿孔処理が行われるシートに対して印刷処理を印刷手段により実行させる画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止し、前記印刷設定がユーザによりなされた原稿の画像データが記憶手段に記憶された後に、前記１枚のシートの同一面上に複数の画像データを配置する印刷処理を前記印刷手段により実行させ、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止する、画像形成システムを提供できる。また、請求項２１記載の本発明によれば、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する、画像形成システムを提供できる。また、請求項２２記載の本発明によれば、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止する、画像形成システムを提供できる。また、請求項２３記載の本発明によれば、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止する、画像形成システムを提供できる。また、請求項２４記載の本発明によれば、印刷されたシートに穿孔処理を行う穿孔手段によって前記穿孔処理が行われるシートに対して印刷処理を印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記印刷設定がユーザによりなされた原稿の画像データが記憶手段に記憶された後に、前記１枚のシートの同一面上に複数の画像データを配置する印刷処理を前記印刷手段により実行させ、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記穿孔手段によって前記穿孔処理を実行することを禁止する、画像形成システムを提供できる。
【手続補正３５】
【補正対象書類名】明細書
【補正対象項目名】００９４
【補正方法】変更
【補正の内容】
【００９４】
また、請求項２５記載の本発明よれば、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する、画像形成システムを提供できる。また、請求項２６記載の本発明によれば、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止し、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する、画像形成システムを提供できる。また、請求項２７記載の本発明よれば、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止し、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する、画像形成システムを提供できる。また、請求項２８記載の本発明よれば、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止し、前記印刷設定がユーザによりなされた原稿の画像データが記憶手段に記憶された後に、前記１枚のシートの同一面上に複数の画像データを配置する印刷処理を前記印刷手段により実行させ、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する、画像形成システムを提供できる。また、請求項２９記載の本発明によれば、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可する、画像形成システムを提供できる。
また、請求項３０記載の本発明によれば、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記印刷手段による印刷処理に利用されるシートの種類を判断する判断手段によって、前記１枚のシートの同一面上に複数の画像データを配置する印刷処理が行われるシートの種類が判断された後に、前記１枚のシートの同一面上に複数の画像データを配置する印刷処理を前記印刷手段により実行させ、前記１枚のシートの同一面上に複数の画像データを配置する印刷処理が行われるシートの種類が前記判断手段によって判断される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する、画像形成システムを提供できる。また、請求項３１記載の本発明によれば、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記印刷手段により印刷処理が行われる原稿の画像データの原稿サイズを検知する検知手段によって、前記印刷設定がユーザによりなされた原稿の画像データの原稿サイズが検知された後に、前記１枚のシートの同一面上に複数の画像データを配置する印刷処理を前記印刷手段により実行させ、前記印刷設定がユーザによりなされた原稿の画像データの原稿サイズが前記検知手段によって検知される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する、画像形成システムを提供できる。また、請求項３２記載の本発明よれば、印刷されたシートにステイプル処理を行うステイプル手段によって前記ステイプル処理が行われるシートに対して印刷処理を印刷手段により実行させ、印刷されたシートに穿孔処理を行う穿孔手段によって前記穿孔処理が行われるシートに対して印刷処理を前記印刷手段により実行させ、印刷されたシートの仕分け処理を行う仕分け手段によって前記仕分け処理が行われるシートに対して前記印刷手段により印刷処理を実行させる、画像形成システムで、１枚のシートの同一面上に複数の画像データを配置する印刷処理を前記印刷手段により実行させるための印刷設定が、操作手段を介してユーザによりなされた場合に、前記１枚のシートの同一面上に複数の画像データを配置する印刷処理を前記印刷手段により実行させ、前記印刷設定が前記操作手段を介してユーザによりなされた場合に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する一方で、前記１枚のシートの同一面上に複数の画像データを配置する印刷処理が行われるシートに対して前記仕分け手段によって前記仕分け処理を実行することは許可し、前記印刷設定がユーザによりなされた原稿の画像データが記憶手段に記憶された後に、前記１枚のシートの同一面上に複数の画像データを配置する印刷処理を前記印刷手段により実行させ、前記印刷設定がユーザによりなされた原稿の画像データが前記記憶手段に記憶される前に、前記印刷設定が前記操作手段を介してユーザによりなされたことを条件に、前記１枚のシートの同一面上に複数の画像データを配置する印刷処理が行われるシートに対して前記ステイプル手段によって前記ステイプル処理を実行することを禁止し、且つ、前記１枚のシートの同一面上に複数の画像データを配置する印刷処理が行われるシートに対して前記穿孔手段によって前記穿孔処理を実行することを禁止する、画像形成システムを提供できる。
【手続補正３６】
【補正対象書類名】明細書
【補正対象項目名】００９５
【補正方法】変更
【補正の内容】
【００９５】
このように、本発明によれば、１枚のシートの同一面上に複数の画像データを配置する印刷処理を実行することができ、尚且つ、１枚のシートの同一面上に複数の画像データを配置する印刷処理を実行する場合に、ユーザの誤操作に対処し、ユーザの意図しない出力物を作成してしまうことを抑え、ユーザの所望とする出力結果を作成することができる画像形成システム及び制御方法、並びに記憶媒体を提供することができる。